(57)【要約】【課題】  像担持体から転写チャージャによりトナー画像を記録紙等の転写材に転写させるにあたり、転写材に電気抵抗の高い部材が部分的に設けられて、電気抵抗が異なる部分が存在する場合等においても、トナー画像が転写材に適切に転写されるようにする。【解決手段】  トナー画像が保持された像担持体10,Pと転写チャージャ30との間に転写材20を導き、像担持体上に保持されたトナー画像を転写チャージャにより転写材に転写させる画像形成装置において、上記の転写チャージャから転写材に付与させる電荷量を部分的に変更させる電荷付与調整機構40を設けた。【選択図】  図１
2007057626.tif 000002
【特許請求の範囲】
【請求項１】
トナー画像が保持された像担持体と転写チャージャとの間に転写材を導き、像担持体上に保持されたトナー画像を転写チャージャにより転写材に転写させる画像形成装置において、上記の転写チャージャから転写材に付与させる電荷量を部分的に変更させる電荷付与調整機構を設けたことを特徴とする画像形成装置。
【請求項２】
請求項１に記載の画像形成装置において、上記の電荷付与調整機構として、上記の転写チャージャと転写材との間に開口部が設けられた遮蔽部材を移動可能に設けると共に、上記の転写チャージャに作用させる転写電流を調整する電流調整装置を設けたことを特徴とする画像形成装置。
【請求項３】
請求項１に記載の画像形成装置において、上記の電荷付与調整機構として、上記の転写チャージャと転写材との間に開口部が設けられた遮蔽部材を設けると共に、この遮蔽部材における開口部の開閉を行う開閉部材を設けたことを特徴とする画像形成装置。
【請求項４】
請求項１に記載の画像形成装置において、上記の電荷付与調整機構として、上記の転写チャージャと転写材との間に複数のグリッドを転写チャージャの長手方向に沿って設けると共に、各グリッドに印加させる電圧を調整するグリッド電圧調整装置を設けたことを特徴とする画像形成装置。
【請求項５】
請求項１〜４の何れか１項に記載した画像形成装置において、一部に電気抵抗の高い部材が設けられた転写材を用い、上記の電荷付与調整機構により電気抵抗の高い部材が設けられた部分に付与する電荷量を多くすることを特徴とする画像形成装置。
【発明の詳細な説明】
【技術分野】
【０００１】
本発明は、電子写真方式の複写機やプリンタ等の画像形成装置に係り、特に、トナー画像を保持する感光体や中間転写ベルト等の像担持体から転写チャージャによりトナー画像を記録紙等の転写材に転写させるにあたり、上記の転写材に電気抵抗の高い部材が部分的に設けられて、電気抵抗が異なる部分が存在する場合等においても、トナー画像が上記の転写材に適切に転写されるようにした点に特徴を有するものである。
【背景技術】
【０００２】
電子写真方式の複写機やプリンタ等の画像形成装置において、感光体や中間転写ベルト等の像担持体上に保持されたトナー画像を記録紙等の転写材に転写させるにあたっては、転写材を上記の像担持体と転写チャージャ等の転写装置との間に導き、この転写装置により像担持体上に保持されたトナー画像を転写材に転写させるようにしている。
【０００３】
そして、転写装置に転写チャージャを使用して、像担持体上に保持されたトナー画像を転写材に転写させる場合、この転写チャージャにより転写材に電荷を付与し、この転写材と像担持体との間に、トナーを転写材に電気的に吸引させる方向の電界を作用させて、トナー画像を転写材に転写させるようにしている。
【０００４】
ここで、転写チャージャから転写材に付与する電荷量が少なくて上記の電界が弱くなると、トナーを転写材に充分に転写させることができなくなって、転写不良が生じる一方、転写材に付与する電荷量が多くなりすぎて上記の電界が強くなり過ぎると、リークによる転写不良が発生する。
【０００５】
また、近年においては、様々な転写材が用いられるようになり、例えば、転写材として、紙製の台紙の上にＰＥＴ等の樹脂で構成されたカードを取り付けたものが用いられることがあり、この場合、転写材における台紙とカードとの双方にトナー画像を転写させることが必要になる。
【０００６】
ここで、上記の転写材においては、紙製の台紙の部分に比べて樹脂で構成されたカードが取り付けられた部分における電気抵抗が高くなり、転写チャージャに一定の転写バイアスを印加させて、転写材に付与させる電荷を一定にして転写を行った場合、紙製の台紙だけの部分に比べてカードが取り付けた部分に作用する電界が弱くなり、カードの部分にトナー画像が充分に転写されなくなる一方、カードの部分にトナー画像が充分に転写されるようにした場合には、上記の紙製の台紙の部分における電界が強くなり過ぎて、リークによる転写不良が発生するという問題があった。
【０００７】
そして、従来においては、転写材の表面における凹凸に起因して転写条件が変化するのを防止するため、透明トナーを用いて転写材の表面における凹凸を是正するようにしたものが提案されている（例えば、特許文献1参照。）。
【０００８】
しかし、このように透明トナーを用いて転写材の表面における凹凸を是正することは面倒であり、また上記のような電気抵抗の差に基づく転写不良等を充分に改善することはできなかった。
【０００９】
また、従来においては、像担持体と転写チャージャとの間に、遮蔽領域が変更可能な遮蔽手段を設け、転写材の幅に応じて遮蔽手段により転写チャージャを遮蔽し、転写チャージャによって像担持体が逆帯電されるのを防止するようにしたものが提案されている（例えば、特許文献２参照。）。
【００１０】
しかし、この特許文献２に示されるものは、単に転写チャージャによって像担持体が逆帯電されるのを防止するだけのものであるため、上記のように紙製の台紙の上にＰＥＴ等の樹脂で構成されたカードを取り付けた転写材のように、電気抵抗や厚みの異なる部分が存在する転写材を用いた場合における転写不良を改善することはできなかった。
【特許文献１】特開２００２−１０８０３９号公報
【特許文献２】特開平４−２５８８４号公報
【発明の開示】
【発明が解決しようとする課題】
【００１１】
本発明における画像形成装置においては、トナー画像を保持する感光体や中間転写ベルト等の像担持体から転写チャージャによりトナー画像を記録紙等の転写材に転写させるにあたり、上記の転写材に電気抵抗の高い部材が部分的に設けられて、電気抵抗が異なる部分が存在する場合等においても、トナー画像が上記の転写材に適切に転写されるようにすることを課題とするものである。
【課題を解決するための手段】
【００１２】
本発明における画像形成装置においては、上記のような課題を解決するため、トナー画像が保持された像担持体と転写チャージャとの間に転写材を導き、像担持体上に保持されたトナー画像を転写チャージャにより転写材に転写させる画像形成装置において、上記の転写チャージャから転写材に付与させる電荷量を部分的に変更させる電荷付与調整機構を設けた。
【００１３】
ここで、上記の電荷付与調整機構としては、例えば、上記の転写チャージャと転写材との間に開口部が設けられた遮蔽部材を移動可能に設けると共に、上記の転写チャージャに作用させる転写電流を調整する電流調整装置を設けるようにしたり、また上記の転写チャージャと転写材との間に開口部が設けられた遮蔽部材を設けると共に、この遮蔽部材における開口部の開閉を行う開閉部材を設けるようにしたり、また転写チャージャと転写材との間に複数のグリッドを転写チャージャの長手方向に沿って設けると共に、各グリッドに印加させる電圧を調整するグリッド電圧調整装置を設けるようにすることができる。
【発明の効果】
【００１４】
本発明における画像形成装置においては、転写チャージャから転写材に付与させる電荷量を部分的に変更させる電荷付与調整機構を設けたため、トナー画像が保持された像担持体と転写チャージャとの間に転写材を導き、像担持体上に保持されたトナー画像を転写チャージャにより転写材に転写させるにあたり、上記の転写材に厚みの異なる部分や電気抵抗が異なる部分等が存在していても、転写チャージャから転写材に付与させる電荷量をそれぞれの部分に対応させて調整し、転写材と像担持体との間に作用する電界の強さをそれぞれの部分に対応して適切に設定することができるようになる。
【００１５】
この結果、本発明における画像形成装置においては、前記のように紙製の台紙の上にＰＥＴ等の樹脂で構成されたカードが取り付けられた転写材を用いた場合においても、上記のカードを取り付けられて電気抵抗が高い部分に対して付与する電荷量を紙製の台紙の部分よりも多くして、この部分に作用する電界だけを高めることができ、転写材における台紙とカードとの双方にトナー画像を適切に転写させることができるようになる。
【発明を実施するための最良の形態】
【００１６】
次に、本発明の実施形態に係る画像形成装置を添付図面に基づいて具体的に説明する。なお、この発明に係る画像形成装置は、下記の実施形態に示したものに限定されず、その要旨を変更しない範囲において適宜変更して実施できるものである。
【００１７】
この実施形態に係る画像形成装置においては、図１に示すように、黄色，マゼンタ色，シアン色，黒色の異なった色彩のトナーを収容させた４つの現像装置Ａ１〜Ａ４を使用し、各現像装置Ａ１〜Ａ４における各トナー担持体１と対向するようにしてそれぞれ感光体ドラムＰ１〜Ｐ４を設けると共に、上記の各現像装置Ａ１〜Ａ４と像担持体Ｐ１〜Ｐ４を介して反対側の位置に、複数のローラ２に架け渡されて駆動される中間転写ベルト１０を設けている。
【００１８】
ここで、この画像形成装置においては、図示していないスキャナやコンピュータ等の画像データ出力装置から入力された画像データに基づいて画像が形成される。
【００１９】
そして、この画像形成装置によってフルカラー画像を形成するにあたっては、第１の現像装置Ａ１に対応して設けられた感光体ドラムＰ１を回転させて、この感光体ドラムＰ１の外周面を帯電装置３により一様に帯電させ、このように帯電された感光体ドラムＰ１に対して露光装置４により上記の画像データに従った露光を行い、この感光体ドラムＰ１の外周面に静電潜像を形成し、上記の現像装置Ａ１におけるトナー担持体１から黄色のトナーを感光体ドラムＰ１に形成された静電潜像部分に供給し、感光体ドラムＰ１に静電潜像に対応した黄色のトナー画像を形成する。
【００２０】
そして、このように感光体ドラムＰ１に形成された黄色のトナー画像を、上記のようにローラ１１に架け渡されて駆動される中間転写ベルト１０に転写させる一方、転写後における感光体ドラムＰ１に残留している黄色のトナーをクリーニング装置５によって感光体ドラムＰ１から除去させる。
【００２１】
そして、上記の第１の現像装置Ａ１の場合と同様にして、第２〜第４の現像装置Ａ２〜Ａ４における各トナー担持体１からそれぞれ対応する各感光体ドラムＰ２〜Ｐ４に順々にマゼンタ色，シアン色，黒色のトナー画像を形成し、このように各感光体ドラムＰ２〜Ｐ４に形成されたマゼンタ色，シアン色，黒色のトナー画像を、上記のように黄色のトナー画像が転写された中間転写ベルト１０に順々に転写させて、この中間転写ベルト１０上にフルカラーのトナー画像を形成する。
【００２２】
一方、この画像形成装置の下部に設けられたカセット６から記録シート等の転写材２０を、送りローラ７によって上記の中間転写ベルト１０と転写チャージャ３０とが対向する部分に導き、転写チャージャ３０によりこの転写材２０に電荷を付与して、上記の中間転写ベルト１０に形成されたフルカラーのトナー画像をこの転写材２０に転写させる。
【００２３】
その後は、このように中間転写ベルト１０上に転写されたフルカラーのトナー画像を定着装置８により転写材２０に定着させて排紙させる一方、転写されずに中間転写ベルト１０に残ったトナーをクリーニング装置９によって中間転写ベルト１０から除去するようにしている。
【００２４】
ここで、この実施形態における画像形成装置においては、上記のように中間転写ベルト１０上に形成されたトナー画像を転写材２０に転写させる転写チャージャ３０に対して、転写材２０に付与させる電荷量を部分的に変更させる電荷付与調整機構４０を設けている。
【００２５】
なお、上記の実施形態における画像形成装置においては、中間転写ベルト１０上に形成されたトナー画像を転写材２０に転写させる転写チャージャ３０に対して、転写材２０に付与させる電荷量を部分的に変更させる電荷付与調整機構４０を設けるようにしたが、図２に示すように、感光体ドラムＰに保持されたトナー画像を転写材２０に転写させる場合には、感光体ドラムＰに保持されたトナー画像を転写材２０に転写させる転写チャージャ３０に対して、転写材２０に付与させる電荷量を部分的に変更させる電荷付与調整機構４０を設けるようにする。
【００２６】
次に、図３に示すように、紙製の台紙２１の適当な箇所に樹脂で構成されたカード２２が取り付けられた転写材２０に対して、上記のように中間転写ベルト１０や感光体ドラムＰに保持されたトナー画像を転写させる場合において、転写チャージャ３０から転写材２０に付与させる電荷量を部分的に変更させる電荷付与調整機構４０の例を添付図面に基づいて説明する。
【００２７】
（第１の電荷付与調整機構）
第１の電荷付与調整機構４０においては、図４に示すように、転写チャージャ３０の長手方向に沿った長尺状の遮蔽部材４１の一部に上記の転写材２０におけるカード２２の幅に対応した開口部４１ａを設けると共に、この遮蔽部材４１の両側に巻き取り装置４２，４２を設け、この巻き取り装置４２，４２を制御装置４３により駆動させ、一方の巻き取り装置４２によって遮蔽部材４１を巻き取る一方、他方の巻き取り装置４２から遮蔽部材４１を送り出すようにして、遮蔽部材４１に設けた開口部４１ａの位置を変更できるようにしている。そして、上記の制御装置４３により開口部４１ａの位置を決定する。ここで、開口部４１ａの位置を決定するにあたっては、前記の画像データ出力装置からの画像データと共に出力されて画像形成装置に入力された開口部４１ａの位置のデータに基づいて決定されてもよいし、入力された画像データ中の特定のマーカの検出結果に基づいて決定されてもよい。
【００２８】
また、巻き取り装置４２，４２が設けられた上記の遮蔽部材４１に移動装置４４を取り付け、この移動装置４４を上記の制御装置４３により駆動させて、遮蔽部材４１を上記の転写チャージャ３０の上方において進退させるようにすると共に、上記の転写チャージャ３０に作用させる転写電流を調整する電流調整装置４５を設け、この電流調整装置４５を上記の制御装置４３により制御して、転写チャージャ３０に作用させる転写電流を変更させるようにしている。
【００２９】
ここで、上記のように紙製の台紙２１の適当な箇所に樹脂で構成されたカード２２が取り付けられた転写材２０にトナー画像を転写させるにあたっては、上記の制御装置４３により上記の巻き取り装置４２，４２を駆動させて、遮蔽部材４１に設けられた上記の開口部４１ａの位置が、転写材２０に設けられたカード２２の位置に対応するようにセットする。
【００３０】
そして、上記の転写材２０におけるカード２２の部分が転写チャージャ３０による転写位置に導かれるまでは、図４及び図５に示すように、上記の移動装置４４を駆動させずに、遮蔽部材４１を転写チャージャ３０による転写位置から離れた位置に維持させると共に、上記の電流調整装置４５によって転写チャージャ３０に作用させる転写電流を、上記の制御装置４３により転写材２０における台紙２１の部分に対応した低い転写電流Ｉｄに設定して、上記の転写チャージャ３０から転写材２０の台紙２１の部分に電荷を付与し、この台紙２１の部分にトナー画像を転写させるようにする。
【００３１】
また、上記の転写材２０が送られて、この転写材２０におけるカード２２の部分が転写チャージャ３０による転写位置に導かれると、これに同期するようにして、上記の制御装置４３により移動装置４４を作動させて、図６及び図７に示すように、遮蔽部材４１を転写チャージャ３０と転写材２０との間の転写位置に導き、遮蔽部材４１に設けられた開口部４１ａを転写材２０におけるカード２２と対応する位置にセットさせると共に、上記の電流調整装置４５によって転写チャージャ３０に作用させる転写電流を、上記の制御装置４３により転写材２０におけるカード２２の部分に対応した高い転写電流Ｉｃに設定して、上記の転写チャージャ３０から転写材２０の台紙２１及びカード２２の部分に電荷を付与し、この台紙２１及びカード２２の部分にトナー画像を転写させるようにする。
【００３２】
このようにすると、遮蔽部材４１に設けられた開口部４１ａに対応したカード２２の部分においては、遮蔽部材４１が存在しないため、上記の高い転写電流Ｉｃによって転写チャージャ３０から多くの電荷が付与される一方、カード２２が存在しない台紙２１の部分は上記の遮蔽部材４１によって遮蔽されているため、転写チャージャ３０から台紙２１の部分に付与される電荷がこの遮蔽部材４１により遮蔽されて減少し、上記の低い転写電流Ｉｄの場合と同程度の電荷が付与されるようになる。
【００３３】
この結果、転写材２０において、カード２２が存在しない電気抵抗の低い台紙２１の部分と、電気抵抗の高いカード２２が設けられた部分とにそれぞれ適切な電界が作用されて、台紙２１の部分とカード２２の部分との双方にトナー画像が適切に転写されるようになる。
【００３４】
また、上記の転写材２０がさらに送られて、この転写材２０におけるカード２２の部分が転写チャージャ３０による転写位置を通過すると、これに同期するようにして、上記の制御装置４３により移動装置４３を作動させて、遮蔽部材４１を転写位置から離れた元の位置に戻すと共に、上記の電流調整装置４５によって転写チャージャ３０に作用させる転写電流を転写材２０における台紙２１の部分に対応した低い転写電流Ｉｄに設定して、上記の転写チャージャ３０から転写材２０の台紙２１の部分に電荷を付与し、この台紙２１の部分にトナー画像を転写させるようにする。
【００３５】
なお、上記の遮蔽部材４１の縁部を鋸歯状に形成すると、上記のように転写チャージャ３０に作用させる転写電流を切り換えた場合において、転写材２０に付与される電荷の変化が穏やかになり、転写材２０における急激な電界の変化による転写不良が抑制されるようになる。
【００３６】
（第２の電荷付与調整機構）
第２の電荷付与調整機構４０においても、図８に示すように、転写チャージャ３０の長手方向に沿った長尺状の遮蔽部材４１の一部に上記の転写材２０におけるカード２２の幅に対応した開口部４１ａを設け、この遮蔽部材４１の両側に巻き取り装置４２，４２を設け、この巻き取り装置４２，４２を制御装置４３により駆動させ、一方の巻き取り装置４２によって遮蔽部材４１を巻き取る一方、他方の巻き取り装置４２から遮蔽部材４１を送り出すようにして、遮蔽部材４１に設けた開口部４１ａの位置を変更できるようにしている。
【００３７】
そして、この第２の電荷付与調整機構４０においては、上記の開口部４１ａの開閉を行う開閉部材４６を開閉装置４７に取り付け、この開閉装置４７を上記の制御装置４３により駆動させて、図９及び図１０に示すように、上記の開口部４１ａをこの開閉部材４６によって開閉させるようにすると共に、この遮蔽部材４１を転写チャージャ３０における転写位置の上方に設けて遮蔽させるようにしている。ここで、上記の開閉装置４７の位置は、上記の開口部４１ａの位置の変更に伴って転写チャージャ３０の長手方向に移動され、開口部４１ａの位置に対応するようにしている。
【００３８】
ここで、第２の電荷付与調整機構４０において、上記のように紙製の台紙２１の適当な箇所に樹脂で構成されたカード２２が取り付けられた転写材２０にトナー画像を転写させるにあたっては、上記の制御装置４３により上記の巻き取り装置４２，４２を駆動させて、遮蔽部材４１に設けられた上記の開口部４１ａの位置が、転写材２０に設けられたカード２２の位置に対応するようにセットする。
【００３９】
そして、上記の転写材２０におけるカード２２の部分が転写チャージャ３０による転写位置に導かれるまでは、図８及び図９に示すように、上記の遮蔽部材４１における開口部４１ａを上記の開閉部材４６によって閉塞させた状態にして、転写チャージャ３０における転写位置の上方全体をこの遮蔽部材４１及び開閉部材４６によって遮蔽させると共に、上記の電流調整装置４５によって転写チャージャ３０に作用させる転写電流を、転写材２０におけるカード２２の部分に対応した高い転写電流Ｉｃに設定し、上記の遮蔽部材４１及び開閉部材４６によって転写チャージャ３０から台紙２１の部分に付与される電荷を減少させて、この台紙２１の部分にトナー画像を転写させるようにする。
【００４０】
また、上記の転写材２０が送られて、図１０に示すように、この転写材２０におけるカード２２の部分が転写チャージャ３０による転写位置に導かれると、これと同期するようにして、上記の制御装置４３により開閉装置４７を作動させ、上記の開閉部材４６を移動させて遮蔽部材４１における開口部４１ａを開口させ、この状態で、上記の転写チャージャ３０から転写材２０の台紙２１及びカード２２の部分に電荷を付与して、この台紙２１及びカード２２の部分にトナー画像を転写させるようにする。
【００４１】
このようにすると、カード２２が存在しない台紙２１の部分は上記の遮蔽部材４１によって遮蔽されているため、上記のように転写チャージャ３０から台紙２１の部分に付与される電荷がこの遮蔽部材４１により遮蔽されて減少する一方、カード２２の部分においては、上記の高い転写電流Ｉｃによる転写チャージャ３０からの電荷が、上記の開口された開口部４１ａを通して供給され、多くの電荷が付与されるようになる。
【００４２】
この結果、上記の第１の電荷付与調整機構４０を用いた場合と同様に、転写材２０において、カード２２が存在しない電気抵抗の低い台紙２１の部分と、電気抵抗の高いカード２２が設けられた部分とにそれぞれ適切な電界が作用されて、台紙２１の部分とカード２２の部分との双方にトナー画像が適切に転写されるようになる。
【００４３】
また、上記の転写材２０がさらに送られて、この転写材２０におけるカード２２の部分が転写チャージャ３０による転写位置を通過すると、これに同期するようにして、上記の制御装置４３により開閉装置４７を作動させて、開閉部材４６を元の位置に戻し、この開閉部材４６により遮蔽部材４１の開口部４１ａを閉塞させた状態にして、台紙２１の部分にトナー画像を転写させるようにする。
【００４４】
（第３の電荷付与調整機構）
第３の電荷付与調整機構４０においては、図８に示すように、転写チャージャ３０の長手方向に沿った長尺状のグリッド４８の一部に上記の転写材２０におけるカード２２の幅に対応した調整用グリッド４８ａを設けると共に、このグリッド４８の両側に巻き取り装置４２，４２を設け、この巻き取り装置４２，４２を制御装置４３により駆動させ、一方の巻き取り装置４２によってグリッド４８を巻き取る一方、他方の巻き取り装置４２からグリッド４８を送り出すようにして、上記の調整用グリッド４８ａの位置を変更できるようにしている。
【００４５】
また、上記のグリッド４８と調整用グリッド４８ａとに印加させる電圧を調整するグリッド電圧調整装置４９を設け、このグリッド電圧調整装置４９を上記の制御装置４３により制御して、上記のグリッド４８と調整用グリッド４８ａとに印加させる電圧を調整するようにしている。
【００４６】
ここで、第３の電荷付与調整機構４０において、上記のように紙製の台紙２１の適当な箇所に樹脂で構成されたカード２２が取り付けられた転写材２０にトナー画像を転写させるにあたっては、図１２〜図１４に示すように、上記のグリッド４８を転写チャージャ３０における転写位置の上方に設けると共に、上記の制御装置４３により上記の巻き取り装置４２，４２を駆動させて、グリッド４８に設けられた調整用グリッド４８ａの位置が、転写材２０に設けられたカード２２の位置に対応するようにセットする。
【００４７】
そして、電流調整装置４５によって上記の転写チャージャ３０に作用させる転写電流を、転写材２０におけるカード２２の部分に対応した高い転写電流Ｉｃに設定し、上記の転写材２０におけるカード２２の部分が転写チャージャ３０による転写位置に導かれるまでは、図１２及び図１３に示すように、上記の制御装置４３により、グリッド電圧調整装置４９から上記のグリッド４８及び調整用グリッド４８ａに印加させるグリッド電圧をそれぞれ適当な電圧Ｖａに設定し、これにより転写チャージャ３０から転写材２０における台紙２１の部分に付与される電荷を減少させて、この台紙２１の部分にトナー画像を転写させるようにする。
【００４８】
また、上記の転写材２０が送られて、図１４に示すように、この転写材２０におけるカード２２の部分が転写チャージャ３０による転写位置に導かれると、これと同期するようにして、上記の制御装置４３により、グリッド電圧調整装置４９から調整用グリッド４８ａに印加させるグリッド電圧だけを変更し、この調整用グリッド４８ａに印加させる電圧Ｖｏを０にし、両側のグリッド４８にはそのまま上記の電圧Ｖａを印加させて、上記の転写チャージャ３０から転写材２０の台紙２１及びカード２２の部分に電荷を付与し、この台紙２１及びカード２２の部分にトナー画像を転写させるようにする。
【００４９】
このようにすると、カード２２が存在しない台紙２１の部分においては、上記のようにグリッド４８に印加された電圧Ｖａによって転写チャージャ３０から付与される電荷が減少する一方、カード２２の部分においては、調整用グリッド４８ａに印加させる電圧Ｖｏが０でフロート状態になっているため、上記の高い転写電流Ｉｃによる転写チャージャ３０から電荷がそのまま供給されて、多くの電荷が付与されるようになる。
【００５０】
この結果、上記の第１及び第２の電荷付与調整機構４０を用いた場合と同様に、転写材２０において、カード２２が存在しない電気抵抗の低い台紙２１の部分と、電気抵抗の高いカード２２が設けられた部分とにそれぞれ適切な電界が作用されて、台紙２１の部分とカード２２の部分との双方にトナー画像が適切に転写されるようになる。
【００５１】
また、上記の転写材２０がさらに送られて、この転写材２０におけるカード２２の部分が転写チャージャ３０による転写位置を通過すると、これに同期するようにして、上記の制御装置４３によりグリッド電圧調整装置４９から調整用グリッド４８ａに印加させるグリッド電圧を、両側のグリッド４８と同じ上記の電圧Ｖａに戻して、台紙２１の部分にトナー画像を転写させるようにする。
【００５２】
なお、上記の実施形態においては、巻き取り装置４２のような、転写チャージャ３０の長手方向に開口部４１ａや調整用グリッド４８ａの位置を移動させる機構を設けて、開口部４１ａや調整用グリッド４８ａの位置を変更させるようにした。しかし、カード２２の位置が同じ転写材２０だけを用いる場合においては、上記の巻き取り装置４２を設けずに、開口部４１ａや調整用グリッド４８ａの位置を固定させるようにしてもよい。
【図面の簡単な説明】
【００５３】
【図１】本発明の一実施形態に係る画像形成装置において、中間転写ベルトに保持されたトナー画像を転写チャージャにより転写材に転写させるようにした画像形成装置の概略断面図である。
【図２】本発明の他の実施形態に係る画像形成装置において、感光体ドラムに保持されたトナー画像を転写チャージャにより転写材に転写させる状態を示した概略説明断面図である。
【図３】本発明の実施形態に係る画像形成装置に使用する転写材の例を示した概略平面図である。
【図４】本発明の実施形態に係る画像形成装置において、転写チャージャから転写材に付与させる電荷量を部分的に変更させる第１の電荷付与調整機構を示した概略説明図である。
【図５】上記の第１の電荷付与調整機構を使用して、台紙だけが存在する転写材の部分にトナー画像を転写させる状態を示した転写材の移動方向に沿った概略断面図である。
【図６】上記の第１の電荷付与調整機構を使用して、台紙とカードとが存在する転写材の部分にトナー画像を転写させる状態を示した転写材の移動方向に沿った概略断面図である。
【図７】上記の第１の電荷付与調整機構を使用して、台紙とカードとが存在する転写材の部分にトナー画像を転写させる状態を示した転写材の移動方向と直交する方向の概略断面図である。
【図８】本発明の実施形態に係る画像形成装置において、転写チャージャから転写材に付与させる電荷量を部分的に変更させる第２の電荷付与調整機構を示した概略説明図である。
【図９】上記の第２の電荷付与調整機構を使用して、台紙だけが存在する転写材の部分にトナー画像を転写させる状態を示した転写材の移動方向に沿った概略断面図である。
【図１０】上記の第２の電荷付与調整機構を使用して、台紙とカードとが存在する転写材の部分にトナー画像を転写させる状態を示した転写材の移動方向に沿った概略断面図である。
【図１１】本発明の実施形態に係る画像形成装置において、転写チャージャから転写材に付与させる電荷量を部分的に変更させる第３の電荷付与調整機構を示した概略説明図である。
【図１２】上記の第３の電荷付与調整機構を使用して、台紙だけが存在する転写材の部分にトナー画像を転写させる状態を示した転写材の移動方向に沿った概略断面図である。
【図１３】上記の第３の電荷付与調整機構を使用して、台紙だけが存在する転写材の部分にトナー画像を転写させる状態を示した転写材の移動方向と直交する方向の概略断面図である。
【図１４】上記の第３の電荷付与調整機構を使用して、台紙とカードとが存在する転写材の部分にトナー画像を転写させる状態を示した転写材の移動方向と直交する方向の概略断面図である。
【符号の説明】
【００５４】
Ａ１〜Ａ４  現像装置
Ｐ，Ｐ１〜Ｐ４  感光体ドラム
１  トナー担持体
２  ローラ
３  帯電装置
４  露光装置
５  クリーニング装置
６  カセット
７  送りローラ
８  定着装置
９  クリーニング装置
１０  中間転写ベルト
２０  転写材
２１  台紙
２２  カード
３０  転写チャージャ
４０  電荷付与調整機構
４１  遮蔽部材
４１ａ  開口部
４２  巻き取り装置
４３  制御装置
４４  移動装置
４５  電流調整装置
４６  開閉部材
４７  開閉装置
４８  グリッド
４８ａ  調整用グリッド
４９  グリッド電圧調整装置
【図１】
2007057626.tif 000003
【図２】
2007057626.tif 000004
【図３】
2007057626.tif 000005
【図４】
2007057626.tif 000006
【図５】
2007057626.tif 000007
【図６】
2007057626.tif 000008
【図７】
2007057626.tif 000009
【図８】
2007057626.tif 000010
【図９】
2007057626.tif 000011
【図１０】
2007057626.tif 000012
【図１１】
2007057626.tif 000013
【図１２】
2007057626.tif 000014
【図１３】
2007057626.tif 000015
【図１４】
2007057626.tif 000016